(57)【要約】【課題】反射面にステムの影ができることを防止し、ロービーム用配光パターンに現れるダークを軽減することができる。【解決手段】光源２０から照射された光は、第２の反射面５０によりステムの影となる範囲３０ａに反射され、さらにステムの影となる範囲３０ａで反射され、ロービーム用配光パターンに現れるダークとなる範囲に照射される。これにより、ロービーム用配光パターンのダークが軽減され、前方の視認性を向上させることができる。【選択図】  図１
2009211989.tif 000002
【特許請求の範囲】
【請求項１】
投影レンズと、
フィラメントと、前記フィラメントを支持するステムとを有するバルブと、
前記投影レンズと前記バルブとの間に設けられたシェードと、
前記バルブを囲むように設けられた第１反射面であって、前記フィラメントが発光した光を反射して前記シェードの上縁近傍に集光させた後、前記投影レンズを介して前方に照射し、ロービーム用配光パターンを形成する第１反射面と、
前記第１反射面のうちの前記フィラメントが発光した光により前記ステムの影ができる範囲に向けて前記フィラメントが発光した光を反射させる第２反射面と、を備え、
前記第１反射面のうちの前記ステムの影ができる範囲の形状は、前記第２反射面により反射された光を、前記ロービーム用配光パターンの所定の範囲に反射するように形成されたことを特徴とするプロジェクタ型前照灯。
【請求項２】
前記第１反射面のうちの前記ステムの影ができる範囲の形状は、前記第２反射面により反射された光を、前記ロービーム用配光パターンのホットゾーンの直下付近に反射するように形成されたことを特徴とする請求項１に記載のプロジェクタ型前照灯。
【請求項３】
前記第２反射面は、前記バルブの光軸より下側、かつ前記シェードと前記バルブとの間に設けられたことを特徴とする請求項１又は２に記載のプロジェクタ型前照灯。
【請求項４】
前記第２反射面は、前記シェードに設けられたことを特徴とする請求項１から３のいずれかに記載のプロジェクタ型前照灯。
【発明の詳細な説明】
【技術分野】
【０００１】
本発明は、プロジェクタ型前照灯に係り、特に配光パターンのホットゾーンの直下付近に現れるダークを軽減することができるプロジェクタ型前照灯に関する。
【背景技術】
【０００２】
従来、投影レンズ、光源、光源を包囲する反射面、投影レンズと光源の間に配置されたシェード等を備えた車両等において用いられるプロジェクタ型前照灯が知られている（例えば、特許文献１）。この種のプロジェクタ型前照灯においては、光源が発光した光は、反射面によって反射され、シェードの上縁近傍に設定された該反射面の焦点に集光した後、投影レンズを介して前方に照射され、ロービーム用配光パターンを形成する。
【特許文献１】実開平０７−３２６２０３号公報
【発明の開示】
【発明が解決しようとする課題】
【０００３】
この種のプロジェクタ型前照灯には、Ｈ１１タイプのバルブが光源として用いられることがある。このようなバルブを反射面に取り付けると、図５に示すように、フィラメントと反射面との間にステムが位置し、フィラメントが発光する光をステムが遮ることで反射面に影ができる。
【０００４】
これにより、図６に示すように、ロービーム用配光パターンのホットゾーンの直下付近にダークとなる範囲が現れる。そのため、プロジェクタ型前照灯の点灯時のフィーリングに悪影響を与えるという問題がある。
【０００５】
本発明は、このような事情に鑑みてなされたものであり、反射面にステムの影ができることにより、ロービーム用配光パターンの所定の範囲（例えば、ロービーム用配光パターンのダークとなる範囲）が暗くなることを防止することができるプロジェクタ型前照灯を提供することを目的とする。
【課題を解決するための手段】
【０００６】
上記課題を解決するために、請求項１に記載のプロジェクタ型前照灯は、投影レンズと、フィラメントと、前記フィラメントを支持するステムとを有するバルブと、前記投影レンズと前記バルブとの間に設けられたシェードと、前記バルブを囲むように設けられた第１反射面であって、前記フィラメントが発光した光を反射して前記シェードの上縁近傍に集光させた後、前記投影レンズを介して前方に照射し、ロービーム用配光パターンを形成する第１反射面と、前記第１反射面のうちの前記フィラメントが発光した光により前記ステムの影ができる範囲に向けて前記フィラメントが発光した光を反射させる第２反射面と、を備え、前記第１反射面のうちの前記ステムの影ができる範囲の形状は、前記第２反射面により反射された光を、前記ロービーム用配光パターンの所定の範囲に反射するように形成されたことを特徴とする
請求項１に記載のプロジェクタ型前照灯によれば、フィラメントが発光した光は、第２反射面により反射され、第１反射面のうちのフィラメントが発光した光によりステムの影ができる範囲に照射される。この光は、第１反射面のうちのフィラメントが発光した光によりステムの影ができる範囲においてさらに反射され、ロービーム用配光パターンの所定の範囲に照射される。これにより、反射面にステムの影ができることにより、ロービーム用配光パターンの所定の範囲（例えば、ロービーム用配光パターンのダークとなる範囲）が暗くなることを防止することができる。また、ロービーム用配光パターンの輝度をあげることができる。そのため、プロジェクタ型前照灯の点灯時のフィーリングを改善し、前方の視認性を向上させることができる。また、従来使用されていなかった反射面である第１反射面のうちのフィラメントが発光した光によりステムの影ができる範囲を有効利用することができる。
【０００７】
請求項２に記載のプロジェクタ型前照灯は、請求項１に記載のプロジェクタ型前照灯において、前記第１反射面のうちの前記ステムの影ができる範囲の形状は、前記第２反射面により反射された光を、前記ロービーム用配光パターンのホットゾーンの直下付近に反射するように形成されたことを特徴とする。
【０００８】
請求項２に記載のプロジェクタ型前照灯によれば、第２反射面により反射された光は、第１反射面のうちのフィラメントが発光した光によりステムの影ができる範囲によりさらに反射され、ロービーム用配光パターンのホットゾーンの直下付近に照射される。従来のプロジェクタ型前照灯の場合には、ロービーム用配光パターンのホットゾーン直下付近にダークが発生していたが、これによりロービーム用配光パターンのホットゾーン直下付近に現れるダークを軽減することができる。
【０００９】
請求項３に記載のプロジェクタ型前照灯は、請求項１又は２に記載のプロジェクタ型前照灯において、前記第２反射面は、前記バルブの光軸より下側、かつ前記シェードと前記バルブとの間に設けられたことを特徴とする。これにより、従来のプロジェクタ型前照灯では配光パターンの形成に用いられていなかった光、すなわちシェードによりカットされる光を有効に用いることができる。
【００１０】
請求項４に記載のプロジェクタ型前照灯は、請求項１から３のいずれかに記載のプロジェクタ型前照灯において、前記第２反射面は、前記シェードに設けられたことを特徴とする。これにより、シェードと第１反射面の形状を変更するだけで、ほとんどコストアップをすることなく、今まで配光パターンの形成に用いられていなかった光を有効に活用して、ロービーム用配光パターンの所定の範囲が暗くなることを防止することができる。
【発明の効果】
【００１１】
本発明によれば、反射面にステムの影ができることにより、ロービーム用配光パターンの所定の範囲（例えば、ロービーム用配光パターンのダークとなる範囲）が暗くなることを防止することができる。
【発明を実施するための最良の形態】
【００１２】
以下、本発明の一実施形態であるプロジェクタ型前照灯について図面を参照しながら説明する。
【００１３】
図１は、本実施形態のプロジェクタ型前照灯１００の縦断面図であり、図２は、プロジェクタ型前照灯１００の横断面図である。プロジェクタ型前照灯１００は、主として、自動車等の車両に適用されるものであり、図１に示すように、投影レンズ１０と、光源２０と、光源２０を包囲する反射面３０と、投影レンズ１０と光源２０の間に配設されたシェード４０と、シェード４０の光源２０側の側面に設けられた第２反射面５０とで構成される。
【００１４】
投影レンズ１０は、後方側に焦点Ｆが設定された前面が凸面で背面が平面の凸レンズである。
【００１５】
光源２０は、例えば、Ｈ１１タイプのハロゲンバルブであり、内部には主としてフィラメント２１とステム２２とが設けられている。光源２０は、図１に示すように、ステム２２がフィラメント２１の上側に位置するように、すなわちステム２２がフィラメント２１と反射面３０との間に位置するように反射面３０に取り付けられる。
【００１６】
シェード４０は、下側シェード４０ａと上側シェード４０ｂとで構成される。下側シェード４０ａは、カットオフラインを形成する上縁が投影レンズ１０の焦点Ｆの近傍に位置するように設けられる。下側シェード４０ａは、反射面３０で反射された光の一部を遮光してカットオフラインを形成する。上側シェード４０ｂは、反射面３０で反射された光の一部を遮光して配光パターンの形を整える。
【００１７】
反射面３０は、光源２０の中心位置を第１焦点とすると共に、投影レンズ１０の焦点Ｆの近傍を第２焦点とする回転楕円体等の楕円系反射面である。反射面３０は、光源２０が発光した光を反射して第２焦点に集光させた後、投影レンズ１０を介して前方に照射し、ロービーム用配光パターンを形成する。
【００１８】
反射面３０には、ステムの影となる範囲３０ａが存在する。ここで、ステムの影となる範囲３０ａについて説明する。光源２０を点灯すると、ステム２２がフィラメント２１と反射面３０との間に位置するため、フィラメント２１が発光した光がステム２２に遮られる事により、図１に示すように、反射面３０には、ステム２２の影ができる。反射面３０上に影ができるこの範囲が、ステムの影となる範囲３０ａである。
【００１９】
ステムの影となる範囲３０ａは、第２反射面５０により反射された光を、ロービーム用配光パターンのホットゾーンの直下付近（従来ダークが形成されていた範囲）に反射するような形状に形成される。
【００２０】
第２反射面５０は、シェード４０の光源２０側の下端部両端近傍に２箇所設けられる。第２反射面５０は、シェード４０と一体的に形成してもよいし又はシェード４０に別部品を取り付けることにより形成してもよい。第２反射面５０は、光源２０から照射された光を反射面３０のステムの影となる範囲３０ａに反射する。
【００２１】
図３（ａ）は従来構造のプロジェクタ型前照灯によるロービーム用配光パターンを示し、図３（ｂ）は本実施の形態のプロジェクタ型前照灯１００によるロービーム用配光パターンを示す。図４は、図３（ａ）、（ｂ）の円で囲んだ領域をそれぞれ拡大表示したものである。
【００２２】
従来構造のプロジェクタ型前照灯によるロービーム用配光パターンにおいては、図３（ａ）、図４（ａ）に示すように、ホットゾーンの直下付近において、１０×１００Ｃｄを示す線が凹んでいる領域（図４（ａ）の領域Ａ）の両端に、領域Ａに対して所定高さ分上側に凸となる範囲（図４（ａ）の領域Ｂ）が現れている。領域Ｂの部分は、領域Ａの部分に対し、所定高さ分だけ５〜１０×１００Ｃｄを表す領域が広くなっている（図４（ａ）斜線部参照）。５〜１０×１００Ｃｄを表す領域が広くなった部分（図４（ａ）斜線部）は、その他の部分に比べて輝度が低下している。この斜線部が、ロービーム用配光パターンのホットゾーンの直下付近に現れるダークとなる範囲である。このダークとなる範囲は、ステムの影となる範囲３０ａでフィラメント２１からの光が反射されないために形成される。
【００２３】
それに対して、本実施の形態のプロジェクタ型前照灯１００では、光源２０から照射された光は、第２反射面５０により反射されてステムの影となる範囲３０ａに照射され、さらにステムの影となる範囲３０ａで反射され、ロービーム用配光パターンのホットゾーン直下付近に照射される。
【００２４】
これにより、図４（ｂ）に示すように、本実施の形態のプロジェクタ型前照灯１００によるロービーム用配光パターンは、ホットゾーンの直下付近において、１０×１００Ｃｄを示す線が凹んでいる領域（図４（ｂ）の領域Ａ）の凹みが小さくなっている、すなわち、領域Ａの両端に形成される凸となる範囲（図４（ｂ）の領域Ｂ’）の高さが、図４（ａ）に示す領域Ｂに対して、高さαだけ低くなっている（図４（ｂ）矢印参照）。このため、図４（ｂ）の斜線で示す部分（１０〜２５×１００Ｃｄを表す領域内に入り込んでいる５〜１０×１００Ｃｄを表す領域）は、図４（ａ）の斜線で示す部分より狭くなっている。
【００２５】
すなわち、本実施の形態に係るプロジェクタ型前照灯１００によるロービーム用配光パターンは、従来構造のプロジェクタ型前照灯によるロービーム用配光パターンに比べて、ロービーム用配光パターンのホットゾーンの直下付近に現れるダークとなる範囲が軽減されている。これにより、ロービーム用配光パターンのホットゾーンの直下付近に現れるダークが軽減される。したがって、プロジェクタ型前照灯の点灯時のフィーリングが改善される。したがって、前方の視認性が向上される。
【００２６】
以上説明したように、本実施の形態によれば、ロービーム用配光パターンの所定の範囲、例えば従来のロービーム用配光パターンに現れたダークとなる範囲が生じることを軽減することができる。また、ロービーム用配光パターンの輝度を上げることができる。そのため、プロジェクタ型前照灯の点灯時のフィーリングを改善し、前方の視認性を向上させることができる。
【００２７】
また、本実施の形態では、第２反射面をシェードの下端に設けることで、従来のプロジェクタ型前照灯では使用していなかった光源から下向きに照射される光を有効に用いることができる。
【００２８】
また、本実施の形態は、従来のプロジェクタ型前照灯に対して、シェードと反射面の形状を変更するのみで対応できるため、従来品のプロジェクタ型前照灯に対するコストアップがほとんどなく、性能の向上が可能である。また、従来品に対して外形の変更を行わないため、従来品のプロジェクタ型前照灯からの代替が容易である。
【００２９】
なお、本実施の形態では、第２反射面５０をシェード４０の光源２０側の側面の下端部両端近傍に２箇所設けたが、下端部両端近傍に限らず、光源２０から照射された光をステムの影となる範囲３０ａに反射することが可能な他の位置に設けることも可能である。また、第２反射面５０の数も２箇所には限られない。なお、第２反射面を反射面３０と一体形成する場合には、従来のプロジェクタ型前照灯に対して反射面の形状変更のみで対応できるため、本実施の形態に比べて更にコストをかけることなく性能向上が可能である。
【００３０】
また、本実施の形態では、第２反射面５０により反射された光は、反射面３０のステムの影となる範囲３０ａにおいてロービーム用配光パターンのホットゾーンの直下付近に反射されたが、第２反射面により反射された光をロービーム用配光パターンのホットゾーンの直下付近に照射する反射面を反射面３０と別に設けてもよい。
【００３１】
また、本実施の形態では、第２反射面５０により反射された光は、反射面３０のステムの影となる範囲３０ａにおいてロービーム用配光パターンのホットゾーンの直下付近に反射されたが、反射面３０のステムの影となる範囲３０ａの形状を様々な形状に設計することにより、ロービーム用配光パターンのホットゾーンの直下付近以外の任意の範囲に照射することも可能である。
【００３２】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３３】
【図１】本実施形態のプロジェクタ型前照灯１００の縦断面図である。
【図２】上記プロジェクタ型前照灯１００の横断面図である。
【図３】スクリーンに照射されたロービーム用配光パターンの一例であり、（ａ）は従来構造のプロジェクタ型前照灯の場合を示し、（ｂ）は上記プロジェクタ型前照灯１００の場合を示す。
【図４】図３に示すスクリーンに照射されたロービーム用配光パターンの部分拡大図であり、（ａ）は従来構造のプロジェクタ型前照灯の場合を示し、（ｂ）は上記プロジェクタ型前照灯１００の場合を示す。
【図５】従来構造のプロジェクタ型前照灯の縦断面図である。
【図６】従来構造のプロジェクタ型前照灯のロービーム用配光パターンを模式的に示す図である。
【符号の説明】
【００３４】
１００…プロジェクタ型前照灯、１０…投影レンズ、２０…光源、３０…反射面、４０…シェード、５０…第２反射面
【図１】
2009211989.tif 000003
【図２】
2009211989.tif 000004
【図３】
2009211989.tif 000005
【図４】
2009211989.tif 000006
【図５】
2009211989.tif 000007
【図６】
2009211989.tif 000008